(57)【要約】 【課題】  入力した単語に関連する変化形などの関連単語を確認することができるだけでなく、入力した単語およびその関連単語の発音も確認することができる、高い学習効果を使用者に発揮させることができる出力装置および出力方法を提供することを目的とする。【解決手段】  キー入力部１２により単語が入力されると、ＣＰＵ１３は、単語とその単語に関連する関連単語と単語および関連単語に対応する音声情報とが記憶されているＲＯＭ１４に基づいて、入力された単語とその入力された単語に関連する関連単語とを表示器１１に表示させる。さらに、ＣＰＵ１３は、入力された単語およびその入力された単語に関連する関連単語に対応する音声情報をスピーカ１８から出力させ、現在出力されている音声情報の単語または関連単語を、表示手段に表示されている他の単語および関連単語と識別できるように表示させる。【選択図】      図１
2006162867.tif 000002
【特許請求の範囲】
【請求項１】
単語入力を行う入力手段と、
単語と前記単語に関連する関連単語と前記単語および前記関連単語に対応する音声情報とが記憶されている記憶手段と、
前記単語および前記関連単語を表示する表示手段と、
前記音声情報を出力する音声出力手段と、
前記入力手段によって単語が入力されたときに、入力された単語と前記入力された単語に関連する関連単語とを表示手段に表示させる制御手段とを有し、
前記制御手段は、前記入力された単語および前記入力された単語に関連する関連単語に対応する音声情報を出力させるとともに、現在出力されている音声情報の単語または関連単語を、表示手段に表示されている他の単語および関連単語と識別できるように表示させる出力制御を行うことを特徴とする出力装置。
【請求項２】
前記制御手段は、前記出力制御を行う際に、前記入力された単語および前記入力された単語に関連する関連単語に対応する音声情報を、あらかじめ定められた順番にしたがって連続的に出力させることを特徴とする請求項１記載の出力装置。
【請求項３】
前記入力された単語が、不規則変化語であるか否かを判定する判定手段を有し、
前記制御手段は、前記判定手段によって、前記入力された単語が不規則変化語であると判定された場合、前記出力制御を行うことを特徴とする請求項１または２記載の出力装置。
【請求項４】
前記記憶手段は、前記単語と前記単語が不規則変化語であるか否かを示す不規則変化語情報とを関連して記憶しており、
前記判定手段は、前記不規則変化語情報に基づいて判定することを特徴とする請求項３記載の出力装置。
【請求項５】
単語が不規則変化語であるか否かを示す不規則変化語情報が記憶されている不規則変化語記憶手段から前記不規則変化語情報を取得可能に構成され、
前記判定手段は、前記記憶手段に記憶されている単語と前記不規則変化語記憶手段から取得した前記不規則変化語情報とに基づいて判定することを特徴とする請求項３記載の出力装置。
【請求項６】
前記判定手段は、前記記憶手段に記憶されている単語と前記単語に関連する関連単語とに基づいて判定することを特徴とする請求項３記載の出力装置。
【請求項７】
前記判定手段によって、前記入力された単語が不規則変化語であると判定された場合、前記入力された単語が不規則変化語であることを使用者に知らせる報知手段を有することを特徴とする請求項３〜６のいずれか１つに記載の出力装置。
【請求項８】
前記記憶手段は、前記単語と前記単語が不規則変化語であることを示すマークとを関連して記憶しており、
前記報知手段は、前記マークを前記表示手段に表示することを特徴とする請求項７に記載の出力装置。
【請求項９】
単語が不規則変化語であることを示すマークが記憶されているマーク記憶手段から前記マークを取得可能に構成され、
前記報知手段は、前記マーク記憶手段から取得した前記マークを前記表示手段に表示することを特徴とする請求項７に記載の出力装置。
【請求項１０】
単語入力を行う入力手段と、単語と前記単語に関連する関連単語と前記単語および前記関連単語に対応する音声情報とが記憶されている記憶手段と、前記単語および前記関連単語を表示する表示手段と、前記音声情報を出力する音声出力手段と、前記入力手段によって単語が入力されたときに、入力された単語と前記入力された単語に関連する関連単語とを表示手段に表示させる制御手段とを有する出力装置による出力方法であって、
前記制御手段が、前記入力された単語および前記入力された単語に関連する関連単語に対応する音声情報を出力させ、現在出力されている音声情報の単語または関連単語を、表示手段に表示されている他の単語および関連単語と識別できるように表示させることを特徴とする出力方法。
【発明の詳細な説明】
【技術分野】
【０００１】
本発明は、時制変化および比較変化などの語形変化する英単語などを学習するために用いる出力機器およびその出力方法に関する。
【背景技術】
【０００２】
近年、種々の情報を出力することができる出力装置が数多く開発されており、より使いやすい便利な機能を備えたものが求められている。たとえば、英和辞典の機能を有する電子辞書の場合、英単語を入力すると、その入力された英単語の意味が表示されるとともに、入力された英単語の語形が変化した変化形などが表示される。
【０００３】
典型的な従来の技術としては、特許文献１に記載されている。特許文献１記載の電子辞書は、まず、入力された単語が、規則変化語であるか不規則変化語であるかを判定する。そして、不規則変化語であると判定された場合、あらかじめ記憶されている変化形を抽出して表示する。また、規則変化語であると判定された場合、変化規則にしたがって語形を変形させて変化形を表示する。そうすることによって、単語に対する変化形をすべて記憶させていなくても、入力した単語の変化形を表示することができる。
【０００４】
【特許文献１】特開２００３−２４８６８２号公報
【発明の開示】
【発明が解決しようとする課題】
【０００５】
特許文献１で開示されている電子辞書は、上記のように、入力した単語の変化形を表示することができる。しかし、入力した単語およびその単語の変化形の発音を容易に確認する工夫がされていない。したがって、英単語を学習するために、このような電子辞書を用いると、表示される単語および変化形の綴字を表示するだけでは発音の変化がわからない場合などがあるので、入力した単語の語形変化に基づく情報が充分に得られず、学習効果が充分あるとはいえない。
【０００６】
そこで、本発明の目的は、入力した単語に関連する変化形などの関連単語を確認することができるだけでなく、入力した単語およびその関連単語の発音も確認することができる、高い学習効果を使用者に発揮させることができる出力装置および出力方法を提供することである。
【課題を解決するための手段】
【０００７】
本発明は、単語入力を行う入力手段と、
単語と前記単語に関連する関連単語と前記単語および前記関連単語に対応する音声情報とが記憶されている記憶手段と、
前記単語および前記関連単語を表示する表示手段と、
前記音声情報を出力する音声出力手段と、
前記入力手段によって単語が入力されたときに、入力された単語と前記入力された単語に関連する関連単語とを表示手段に表示させる制御手段とを有し、
前記制御手段は、前記入力された単語および前記入力された単語に関連する関連単語に対応する音声情報を出力させるとともに、現在出力されている音声情報の単語または関連単語を、表示手段に表示されている他の単語および関連単語と識別できるように表示させる出力制御を行うことを特徴とする出力装置である。
【０００８】
また本発明は、前記制御手段は、前記出力制御を行う際に、前記入力された単語および前記入力された単語に関連する関連単語に対応する音声情報を、あらかじめ定められた順番にしたがって連続的に出力させることを特徴とする。
【０００９】
また本発明は、前記入力された単語が、不規則変化語であるか否かを判定する判定手段を有し、
前記制御手段は、前記判定手段によって、前記入力された単語が不規則変化語であると判定された場合、前記出力制御を行うことを特徴とする。
【００１０】
また本発明は、前記記憶手段は、前記単語と前記単語が不規則変化語であるか否かを示す不規則変化語情報とを関連して記憶しており、
前記判定手段は、前記不規則変化語情報に基づいて判定することを特徴とする。
【００１１】
また本発明は、単語が不規則変化語であるか否かを示す不規則変化語情報が記憶されている不規則変化語記憶手段から前記不規則変化語情報を取得可能に構成され、
前記判定手段は、前記記憶手段に記憶されている単語と前記不規則変化語記憶手段から取得した前記不規則変化語情報とに基づいて判定することを特徴とする。
【００１２】
また本発明は、前記判定手段は、前記記憶手段に記憶されている単語と前記単語に関連する関連単語とに基づいて判定することを特徴とする。
【００１３】
また本発明は、前記判定手段によって、前記入力された単語が不規則変化語であると判定された場合、前記入力された単語が不規則変化語であることを使用者に知らせる報知手段を有することを特徴とする。
【００１４】
また本発明は、前記記憶手段は、前記単語と前記単語が不規則変化語であることを示すマークとを関連して記憶しており、
前記報知手段は、前記マークを前記表示手段に表示することを特徴とする。
【００１５】
また本発明は、単語が不規則変化語であることを示すマークが記憶されているマーク記憶手段から前記マークを取得可能に構成され、
前記報知手段は、前記マーク記憶手段から取得した前記マークを前記表示手段に表示することを特徴とする。
【００１６】
また本発明は、単語入力を行う入力手段と、単語と前記単語に関連する関連単語と前記単語および前記関連単語に対応する音声情報とが記憶されている記憶手段と、前記単語および前記関連単語を表示する表示手段と、前記音声情報を出力する音声出力手段と、前記入力手段によって単語が入力されたときに、入力された単語と前記入力された単語に関連する関連単語とを表示手段に表示させる制御手段とを有する出力装置による出力方法であって、
前記制御手段が、前記入力された単語および前記入力された単語に関連する関連単語に対応する音声情報を出力させ、現在出力されている音声情報の単語または関連単語を、表示手段に表示されている他の単語および関連単語と識別できるように表示させることを特徴とする出力方法である。
【発明の効果】
【００１７】
本発明によれば、入力手段により単語を入力すると、制御手段は、単語とその単語に関連する関連単語と単語および関連単語に対応する音声情報とが記憶されている記憶手段に基づいて、入力された単語とその入力された単語に関連する関連単語とを表示手段に表示させる。
【００１８】
さらに、制御手段は、入力された単語およびその入力された単語に関連する関連単語に対応する音声情報を音声出力手段により出力させるとともに、現在出力されている音声情報の単語または関連単語を、表示手段に表示されている他の単語および関連単語と識別できるように表示させる出力制御を行う。
【００１９】
これにより、使用者が単語を入力すると、入力した単語およびその関連単語の綴字と入力した単語およびその関連単語の発音とを関連付けて確認することができるので、高い学習効果を使用者に発揮させることができる。
【００２０】
また本発明によれば、現在出力されている音声情報の単語または関連単語を、表示手段に表示されている他の単語および関連単語と識別できるように表示させる出力制御を行う際に、制御手段は、入力された単語およびその関連単語に対応する音声情報を、あらかじめ定められた順番にしたがって連続的に出力させる。
【００２１】
このように入力された単語およびその関連単語の表示と、入力された単語およびその関連単語に対応する音声情報の出力とを同期させることによって、使用者が単語を入力すると、入力した単語およびその関連単語の綴字と入力した単語およびその関連単語の発音とを関連付けて確認することができるとともに、あらかじめ定められた順番で連続的に確認することができる。したがって、より高い学習効果を使用者に発揮させることができる。
【００２２】
また本発明によれば、判定手段により、入力手段によって入力された単語が不規則変化語であると判定された場合、制御手段は、出力制御を行う。
【００２３】
これにより、使用者が入力した単語が不規則変化語である場合、たとえば、入力した単語の語形変化が変化規則にしたがっていない場合および入力した単語の語形変化が変化規則にしたがっていても語形変化に伴う発音の変化が変化規則にしたがっていない場合などの使用者が特に学習すべき単語の場合に、入力した単語およびその関連単語の綴字と入力した単語およびその関連単語の発音とを関連付けてあらかじめ定められた順番で連続的に確認することができる。したがって、より高い学習効果を使用者に発揮させることができる。
【００２４】
また本発明によれば、単語とその単語が不規則変化語であるか否かを示す不規則変化語情報とが記憶手段に関連して記憶されており、判定手段は、その不規則変化語情報に基づいて判定する。
【００２５】
これにより、使用者が入力した単語が不規則変化語か否かを容易に判定することができる。
【００２６】
また本発明によれば、単語が不規則変化語であるか否かを示す不規則変化語情報が記憶されている不規則変化語記憶手段から不規則変化語情報を取得可能に構成されており、判定手段は、記憶手段に記憶されている単語と不規則変化語情報とに基づいて判定する。
【００２７】
これにより、不規則変化語情報が記憶されていないような従来の記憶手段であっても、不規則変化語記憶手段から取得した不規則変化語情報を用いて、使用者が入力した単語が、不規則変化語か否かを判定することができる。
【００２８】
また本発明によれば、判定手段は、記憶手段に記憶されている単語とその単語に関連する関連単語とに基づいて判定する。
【００２９】
これにより、入力された単語とその入力された単語に関連する関連単語との関係が、変化規則にしたがうか否かで判定するので、使用者が入力した単語が不規則変化語か否かを従来の記憶手段を用いて判定することができる。
【００３０】
また本発明によれば、入力された単語が不規則変化語であると判定手段によって判定された場合、報知手段により入力された単語が不規則変化語であることを使用者に知らせる。
【００３１】
これにより、入力した単語が不規則変化語である場合に、入力した単語が不規則変化語であることを使用者に知らせることができるので、使用者は、入力した単語が不規則変化語であることを容易に確認することができ、より高い学習効果を使用者に発揮させることができる。
【００３２】
また本発明によれば、報知手段により、単語とその単語が不規則変化語であることを示すマークとが関連して記憶している記憶手段に基づいて、単語が不規則変化語であることを示すマークを表示手段に表示する。
【００３３】
これにより、入力した単語が不規則変化語であるか否かが、使用者によりわかりやすくなり、より高い学習効果を使用者に発揮させることができる。
【００３４】
また本発明によれば、単語が不規則変化語であることを示すマークが記憶されているマーク記憶手段からマークを取得可能に構成され、報知手段は、マーク記憶手段から取得したマークを表示手段に表示する。
【００３５】
これにより、記憶手段が、単語が不規則変化語であることを示すマークが記憶されていないような従来の記憶手段であっても、マーク記憶手段から取得したマークを報知手段により、表示手段に表示することができる。
【００３６】
本発明によれば、入力手段により単語を入力すると、制御手段は、単語とその単語に関連する関連単語と単語および関連単語に対応する音声情報とが記憶されている記憶手段に基づいて、入力された単語とその入力された単語に関連する関連単語とを表示手段に表示させる。
【００３７】
さらに、制御手段は、入力された単語およびその入力された単語に関連する関連単語に対応する音声情報を音声出力手段により出力させ、現在出力されている音声情報の単語または関連単語を、表示手段に表示されている他の単語および関連単語と識別できるように表示させる出力制御を行う。
【００３８】
これにより、使用者が単語を入力すると、入力した単語およびその関連単語の綴字と入力した単語およびその関連単語の発音とを関連付けて確認することができるので、高い学習効果を使用者に発揮させることができる。
【発明を実施するための最良の形態】
【００３９】
本実施形態では、出力装置の１つとして学習機について説明する。図１は、本発明の第１の実施形態である学習機１の電気的構成を示すブロック図である。学習機１は、表示器１１、キー入力部１２、ＣＰＵ（Central Processing Unit）１３、ＲＯＭ（Read Only
Memory）１４、ＲＡＭ（Random Access Memory）１５、表示コントローラ１６、音声デコーダ１７およびスピーカ１８を含んで構成される。
【００４０】
表示器１１は、ＬＣＤ（液晶表示装置）などで実現され、入力された単語およびその入力された単語に関連する関連単語などを表示する。関連単語については、後述する。
【００４１】
キー入力部１２は、単語などの入力および制御コマンドの入力などを行うために操作される入力手段であり、ＯＮキー２１、ＯＦＦキー２２、ファンクションキー２３、英数字キー２４および戻るキー２５などがこれに含まれる。ＯＮキー２１およびＯＦＦキー２２は、学習機１の電源をＯＮ／ＯＦＦ（入／切）するときに操作される。ファンクションキー２３は、たとえば変化形マーク選択キー２６、単語学習キー、英和キーおよび和英キーなどを含み、学習機１の各種の動作モードを選択する際に操作される。変化形マーク選択キー２６は、入力された単語およびその変化形が発音された音声の出力などを行う音声出力モードを選択する際に操作される。英数字キー２４は、アルファベットキーおよび数字キーを含むキー群で構成され、単語などを入力する際に操作される。戻るキー２５は、表示画面を一つ前の画面などに戻すとき、たとえば、音声出力時の表示画面を音声終了後、音声出力開始前の表示画面に戻すときなどに操作される。
【００４２】
ＣＰＵ１３は、単語などを入力する入力処理、入力された単語を対象としてＲＯＭ１４に記憶される辞書データおよび音声データを検索する検索処理、辞書データおよび音声データを検索した検索結果をＲＡＭ１５に記憶する記憶処理、ＲＡＭ１５に記憶された辞書データの検索結果などを表示する表示処理およびＲＡＭ１５に記憶された音声データの検索結果を出力する音声出力処理などを実行し、学習機１全体の制御を行う制御手段である。
【００４３】
ＲＯＭ１４は、プログラムが記憶されているプログラム記憶領域２７、辞書データが記憶されている辞書データ記憶領域２８および音声データが記憶されている音声データ記憶領域２９などを有する記憶手段である。また、辞書データとは、意味、発音記号、関連単語などがそれぞれ単語と関連付けられているデータ、たとえば英和辞典などの辞書の内容を電子化したデータであり、さらに、単語が不規則変化語であるか否かを示す不規則変化語情報および不規則変化語であることを示すマークがそれぞれ単語と関連付けられているデータである。関連単語とは、時制変化および比較変化などの語形変化に関する単語である。たとえば、入力された単語が動詞の原形である場合、入力された単語に関連する関連単語とは、三人称単数現在形、過去形および過去分詞形などの変化形であり、入力された単語が動詞の変化形である場合、入力された単語に関連する関連単語とは、原形および入力された単語以外の変化形のことである。音声データとは、単語とその単語が発音された音声（音声情報）となどが関連付けられているものであり、たとえばＭＰ３（Moving
Picture Experts Group Layer−３）形式などで記憶されている。
【００４４】
ＲＡＭ１５は、辞書データおよび音声データを検索した検索結果を記憶させ、その記憶された検索結果を表示および出力する際に用いる。表示コントローラ１６は、ＣＰＵ１３からの制御に基づいて、表示器１１に入力された単語などを表示させる。表示器１１および表示コントローラ１６は、表示手段に相当する。音声デコーダ１７は、スピーカ１８から入力された単語が発音された音声などを出力できるようにする。たとえば、ＭＰ３形式で記憶されている音声データをスピーカ１８から出力できるような形式にデコーダを行う。スピーカ１８は、入力された単語が発音された音声などを出力する。音声デコーダ１７およびスピーカ１８は、音声出力手段に相当する。
【００４５】
判定手段は、ＣＰＵ１３およびＲＯＭ１４から構成されており、入力された単語を対象としてＲＯＭ１４に記憶される辞書データを検索して、検索結果に基づいて入力された単語が不規則変化語であるか否かを判定する。不規則変化語とは、時制変化および比較変化など語形変化が変化規則にしたがっていない語および語形変化が変化規則にしたがっていても語形変化に伴う発音の変化が変化規則にしたがっていない語のことであり、たとえば、不規則変化動詞、不規則変化形容詞および不規則変化名詞などである。
【００４６】
報知手段は、表示器１１、ＣＰＵ１３およびＲＯＭ１４から構成されており、判定手段により、入力した単語が不規則変化語であると判断された場合、ＲＯＭ１４に記憶されている変化形マークを表示器１１に表示することによって、入力した単語が不規則変化語であることを使用者に知らせる。
【００４７】
学習機１は、単語を入力すると、単語およびその関連単語が発音された音声が、あらかじめ定められた順番にしたがって連続的に出力するとともに、現在出力している音声の単語または関連単語を、他の単語および関連単語と識別できるように反転表示することができる学習用出力モードがある。
【００４８】
図２は、学習機１に不規則変化動詞を入力したときの学習用出力モードの動作例を示す図である。図２（ａ）は、音声を出力する前の状態を示し、図２（ｂ）は、原形を出力している状態を示し、図２（ｃ）は、三人称単数現在形を出力している状態を示し、図２（ｄ）は、過去形を出力している状態を示し、図２（ｅ）は、過去分詞形を出力している状態を示す。
【００４９】
使用者が不規則変化動詞を入力すると、表示器１１に音声出力前表示画面３１が表示される。ここでは、不規則変化動詞として、語形変化が変化規則に従わない語である「ｔａｋｅ」を入力する。音声出力前表示画面３１には、単語６１、発音マーク６２、発音記号６３、品詞マーク６４、変化形マーク６５、変化形発音記号６６および意味６７が表示される。ここでは、図２（ａ）に示すように、単語６１は「ｔａｋｅ」であり、発音記号６３は「ｔａｋｅ」の発音記号であり、品詞マーク６４は、動詞であることを示すマークであり、変化形マーク６５は、「ｔａｋｅ」が不規則変化語であることを示すマークであり、変化形発音記号６６は、「ｔａｋｅ」の変化形の発音記号であり、意味６７は、「ｔａｋｅ」の意味である。
【００５０】
使用者が変化形マーク６５を選択すると、音声出力モードを開始する。まず、図２（ｂ）に示すように、原形が発音された音声が出力されるとともに、表示器１１に原形音声出力時表示画面３２が表示される。原形音声出力時表示画面３２は、発音マーク６２および変化形マーク６５の表示が反転され、変化形表示サブウィンド７１が表示されること以外、音声出力前表示画面３１と同様の表示画面である。変化形表示サブウィンド７１は、入力した不規則変化語の原形を表示する原形表示部７２と不規則変化語が語形変化した変化形である三人称単数現在形を表示する三単現表示部７３、過去形を表示する過去形表示部７４および過去分詞形を表示する過去分詞形表示部７５を含む。原形音声出力時表示画面３２では、原形表示部７２のみが反転表示される。ここでは、原形、三人称単数現在形、過去形および過去分詞形は、それぞれ「ｔａｋｅ」、「ｔａｋｅｓ」、「ｔｏｏｋ」および「ｔａｋｅｎ」と表示される。また、三人称単数現在形は、三人称単数と表示される。
【００５１】
原形が発音された音声が出力し終わると、図２（ｃ）に示すように、三人称単数現在形が発音された音声が出力されるとともに、表示器１１に三単現音声出力時表示画面３３が表示される。三単現音声出力時表示画面３３では、三単現表示部７３のみが反転表示される。
【００５２】
三人称単数現在形が発音された音声が出力し終わると、図２（ｄ）に示すように、過去形が発音された音声が出力されるとともに、表示器１１に過去形音声出力時表示画面３４が表示される。過去形音声出力時表示画面３４では、過去形表示部７４のみが反転表示される。
【００５３】
過去形が発音された音声が出力し終わると、図２（ｅ）に示すように、過去分詞形が発音された音声が出力されるとともに、表示器１１に過去分詞形音声出力時表示画面３５が表示される。過去分詞形音声出力時表示画面３５では、過去分詞形表示部７５のみが反転表示される。過去分詞形が発音された音声が出力し終わると、過去分詞形音声出力時表示画面３５が表示されたままとなる。使用者が戻るキー２５を押下すると、音声出力前表示画面３１が表示される。
【００５４】
以上のように、単語およびその関連単語の表示と、単語およびその関連単語が発音された音声とを同期させて出力することにより、使用者が単語を入力すると、入力した単語およびその関連単語の綴字と入力した単語およびその関連単語の発音とを関連付けて確認することができ、さらに、あらかじめ定められた順番で連続的に確認することができ、高い学習効果を使用者に発揮させることができる。
【００５５】
図３は、学習機１に不規則変化動詞を入力したときの学習用出力モードの動作例を示す図である。図３（ａ）は、音声を出力する前の状態を示し、図３（ｂ）は、原形を出力している状態を示し、図３（ｃ）は、三人称単数現在形を出力している状態を示し、図３（ｄ）は、過去形を出力している状態を示し、図３（ｅ）は、過去分詞形を出力している状態を示す。
【００５６】
使用者が不規則変化動詞を入力すると、表示器１１に音声出力前表示画面３６が表示される。ここでは、不規則変化動詞として、語形変化が変化規則にしたがっていても語形変化に伴う発音の変化が変化規則にしたがっていない語である「ｓｔｏｐ」を入力する。音声出力前表示画面３６には、単語６１、発音マーク６２、発音記号６３、品詞マーク６４、変化形マーク６５、変化形発音記号６６および意味６７が表示される。ここでは、図３（ａ）に示すように、単語６１は「ｓｔｏｐ」であり、発音記号６３は「ｓｔｏｐ」の発音記号であり、品詞マーク６４は、動詞であることを示すマークであり、変化形マーク６５は、「ｓｔｏｐ」が不規則変化語であることを示すマークであり、変化形発音記号６６は、「ｓｔｏｐ」の変化形の発音記号であり、意味６７は、「ｓｔｏｐ」の意味である。
【００５７】
使用者が変化形マーク６５を選択すると、音声出力モードを開始する。まず、図３（ｂ）に示すように、原形が発音された音声が出力されるとともに、表示器１１に原形音声出力時表示画面３７が表示される。原形音声出力時表示画面３７は、発音マーク６２および変化形マーク６５の表示が反転され、変化形表示サブウィンド７１が表示されること以外、音声出力前表示画面３６と同様の表示画面である。原形音声出力時表示画面３７では、原形表示部７２のみが反転表示される。ここでは、原形、三人称単数現在形、過去形および過去分詞形は、それぞれ「ｓｔｏｐ」、「ｓｔｏｐｓ」、「ｓｔｏｐｅｄ」および「ｓｔｏｐｅｄ」と表示される。
【００５８】
原形が発音された音声が出力し終わると、図３（ｃ）に示すように、三人称単数現在形が発音された音声が出力されるとともに、表示器１１に三単現音声出力時表示画面３８が表示される。三単現音声出力時表示画面３８では、三単現表示部７３のみが反転表示される。
【００５９】
三人称単数現在形が発音された音声が出力し終わると、図３（ｄ）に示すように、過去形が発音された音声が出力されるとともに、表示器１１に過去形音声出力時表示画面３９が表示される。過去形音声出力時表示画面３９では、過去形表示部７４のみが反転表示される。
【００６０】
過去形が発音された音声が出力し終わると、図３（ｅ）に示すように、過去分詞形が発音された音声が出力されるとともに、表示器１１に過去分詞形音声出力時表示画面４０が表示される。過去分詞形音声出力時表示画面４０では、過去分詞形表示部７５のみが反転表示される。過去分詞形が発音された音声が出力し終わると、過去分詞形音声出力時表示画面４０が表示されたままとなる。使用者が戻るキー２５を押下すると、音声出力前表示画面３６が表示される。
【００６１】
以上のように、使用者が入力した単語が、語形変化が変化規則にしたがっていない不規則変化語だけではなくて、語形変化が変化規則にしたがっていても語形変化に伴う発音の変化が変化規則にしたがっていない不規則変化語であっても、入力した単語およびその関連単語の綴字と入力した単語およびその関連単語の発音とを関連付けて確認することができ、さらに、あらかじめ定められた順番で連続的に確認することができ、高い学習効果を使用者に発揮させることができる。
【００６２】
図４は、学習機１に規則変化動詞を入力したときの学習用出力モードの動作例を示す図である。
【００６３】
使用者が規則変化動詞を入力すると、表示器１１に規則変化動詞表示画面４１が表示される。ここでは、規則変化動詞である「ｐｌａｙ」を入力する。規則変化動詞表示画面４１には、変化形マークが表示されないこと以外、音声出力前表示画面３１と同様である。したがって、使用者が入力した単語が規則変化動詞である場合は、音声出力、変化形表示サブウィンドの表示および音声出力に同期させた反転表示を行わない。
【００６４】
図５は、学習機１に動詞を入力したときの学習用出力モード示すフローチャートである。使用者がＯＮキー２１を押下する操作などによって、ステップＡ１の処理が行われる。ステップＡ１では、使用者によって、単語が入力されると、ＲＡＭ１５に入力された単語を記憶させ、ステップＡ２では、ＲＡＭ１５に記憶されている単語を対象として、ＲＯＭ１４の辞書データ記憶領域２８に記憶されている辞書データを検索させる。ステップＡ３では、入力された単語が辞書データにあれば、ステップＡ４に進み、入力された単語が辞書データになければ、ステップＡ１に戻る。
【００６５】
ステップＡ４では、辞書データから入力された単語に対応する表示データを読み出す。ステップＡ５では、入力された単語が不規則動詞か否かを判断する。たとえば、読み出された表示データに不規則変化語であることを示す変化形マークが含まれていれば、ステップＡ６に進み、読み出された表示データに不規則変化語であることを示す変化形マークが含まれていなければ、ステップＡ１７に進む。ステップＡ１７では、図４に示す規則変化動詞表示画面４１のように、読み出された表示データを表示させる。
【００６６】
ステップＡ６では、図２（ａ）に示す音声出力前表示画面３１および図３（ａ）に示す音声出力前表示画面３６のように、読み出された表示データを表示し、ステップＡ７では、変化形マークが選択されれば、ステップＡ８に進み、変化形マークが選択されなければ、ステップＡ１８に進む。ステップＡ１８では、たとえば画面のスクロール、ジャンプ操作および前画面に戻るなどの他の処理を実行する。
【００６７】
ステップＡ８では、図２（ｂ）に示す原形音声出力時表示画面３２および図３（ｂ）に示す原形音声出力時表示画面３７のように、原形、三人称単数現在形、過去形および過去分詞形を表示する変化形表示サブウィンド７１を表示させる。ステップＡ９では、原形が発音された音声を出力させるとともに、図２（ｂ）に示す原形音声出力時表示画面３２および図３（ｂ）に示す原形音声出力時表示画面３７のように原形表示部７２のみを反転表示させる。ステップＡ１０では、音声データの出力が終了すればステップＡ１１に進み、終了していなければ、ステップＡ１０に戻る。
【００６８】
ステップＡ１１では、三人称単数現在形が発音された音声を出力させるとともに、図２（ｃ）に示す三単現音声出力時表示画面３３および図３（ｃ）に示す三単現音声出力時表示画面３８のように、三単現表示部７３のみを反転表示させる。ステップＡ１２では、音声データの出力が終了すればステップＡ１３に進み、終了していなければ、ステップＡ１２に戻る。ステップＡ１３では、過去形が発音された音声を出力させるとともに、図２（ｄ）に示す過去形音声出力時表示画面３４および図３（ｄ）に示す過去形音声出力時表示画面３９のように、過去形表示部７４のみを反転表示させる。ステップＡ１４では、音声データの出力が終了すればステップＡ１５に進み、終了していなければ、ステップＡ１４に戻る。ステップＡ１５では、過去分詞形が発音された音声を出力させるとともに、図２（ｅ）に示す過去分詞形音声出力時表示画面３５および図３（ｄ）に示す過去分詞形音声出力時表示画面４０のように、過去分詞形表示部７５のみを反転表示させる。ステップＡ１６では、音声データの出力が終了すれば、処理を終了し、終了していなければ、ステップＡ１６に戻る。
【００６９】
以上のように単語およびその関連単語の表示と、単語およびその関連単語が発音された音声とを同期させて出力することにより、使用者が特に学習すべき不規則変化動詞の場合に、入力した単語およびその関連単語の綴字と入力した単語およびその関連単語の発音とを関連付けて確認することができ、さらに、あらかじめ定められた順番で連続的に確認することができる。したがって、高い学習効果を使用者に発揮させることができる。
【００７０】
図６は、学習機１に不規則変化形容詞を入力したときの学習用出力モードの動作例を示す図である。図６（ａ）は、音声を出力する前の状態を示し、図６（ｂ）は、原級を出力している状態を示し、図６（ｃ）は、比較級を出力している状態を示し、図６（ｄ）は、最上級を出力している状態を示す。
【００７１】
形容詞の場合において、関連単語とは、たとえば、入力された単語が原級である場合、入力された単語に関連する関連単語とは、比較級および最上級などの変化形であり、入力された単語が変化形である場合、入力された単語に関連する関連単語とは、原級および入力された単語以外の変化形のことである。
【００７２】
使用者が不規則変化形容詞を入力すると、表示器１１に音声出力前表示画面４２が表示される。ここでは、不規則変化形容詞として、「ｇｏｏｄ」を入力する。音声出力前表示画面４２には、単語６１、発音マーク６２、発音記号６３、品詞マーク６４、変化形マーク６５、変化形発音記号６６および意味６７が表示される。ここでは、図６（ａ）に示すように、単語６１は「ｇｏｏｄ」であり、発音記号６３は「ｇｏｏｄ」の発音記号であり、品詞マーク６４は、形容詞であることを示すマークであり、変化形マーク６５は、「ｇｏｏｄ」が不規則変化語であることを示すマークであり、変化形発音記号６６は、「ｇｏｏｄ」の変化形の発音記号であり、意味６７は、「ｇｏｏｄ」の意味である。
【００７３】
使用者が変化形マーク６５を選択すると、音声出力モードを開始する。まず、図６（ｂ）に示すように、原級が発音された音声が出力されるとともに、表示器１１に原級音声出力時表示画面４３が表示される。原級音声出力時表示画面４３は、発音マーク６２および変化形マーク６５の表示が反転され、変化形表示サブウィンド７６が表示されること以外、音声出力前表示画面４２と同様の表示画面である。変化形表示サブウィンド７６は、入力した不規則変化語の原級を表示する原級表示部７７と不規則変化語が語形変化した変化形である比較級を表示する比較級表示部７８および最上級を表示する最上級表示部７９を含む。原級音声出力時表示画面４３では、原級表示部７７のみが反転表示される。ここでは、原級、比較級および最上級は、それぞれ「ｇｏｏｄ」、「ｂｅｔｔｅｒ」および「ｂｅｓｔ」と表示される。
【００７４】
原級が発音された音声が出力し終わると、図６（ｃ）に示すように、比較級が発音された音声が出力されるとともに、表示器１１に比較級音声出力時表示画面４４が表示される。比較級音声出力時表示画面４４では、比較級表示部７８のみが反転表示される。比較級が発音された音声が出力し終わると、図６（ｄ）に示すように、最上級が発音された音声が出力されるとともに、表示器１１に最上級音声出力時表示画面４５が表示される。最上級音声出力時表示画面４５では、最上級表示部７９のみが反転表示される。最上級が発音された音声が出力し終わると、最上級音声出力時表示画面４５が表示されたままとなる。使用者が戻るキー２５を押下すると、音声出力前表示画面４２が表示される。
【００７５】
以上のように、使用者が入力した単語が不規則変化動詞でなくて不規則変化形容詞であっても、不規則変化動詞を入力した場合と同様、入力した単語およびその関連単語の綴字と入力した単語およびその関連単語の発音とを関連付けて確認することができ、さらに、あらかじめ定められた順番で連続的に確認することができ、高い学習効果を使用者に発揮させることができる。
【００７６】
図７は、学習機１に形容詞を入力したときの学習用出力モード示すフローチャートである。使用者がＯＮキー２１を押下する操作などによって、ステップＢ１の処理が行われる。ステップＢ１では、使用者によって、単語が入力されると、ＲＡＭ１５に入力された単語を記憶させ、ステップＢ２では、ＲＡＭ１５に記憶されている単語を対象として、ＲＯＭ１４の辞書データ記憶領域２８に記憶されている辞書データを検索させる。ステップＢ３では、入力された単語が辞書データにあれば、ステップＢ４に進み、入力された単語が辞書データになければ、ステップＢ１に戻る。
【００７７】
ステップＢ４では、辞書データから入力された単語に対応する表示データを読み出す。ステップＢ５では、入力された単語が不規則形容詞か否かを判断する。たとえば、読み出された表示データに不規則変化語であることを示す変化形マークが含まれていれば、ステップＢ６に進み、読み出された表示データに不規則変化語であることを示す変化形マークが含まれていなければ、ステップＢ１５に進む。ステップＢ１５では、読み出された表示データを表示させる。
【００７８】
ステップＢ６では、図６（ａ）に示す音声出力前表示画面４２のように、読み出された表示データを表示し、ステップＢ７では、変化形マークが選択されれば、ステップＢ８に進み、変化形マークが選択されなければ、ステップＢ１６に進む。ステップＢ１６では、たとえば画面のスクロール、ジャンプ操作および前画面に戻るなどの他の処理を実行する。
【００７９】
ステップＢ８では、図６（ｂ）に示す原級音声出力時表示画面４３のように、原級、比較級および最上級を表示する変化形表示サブウィンド７６を表示させる。ステップＢ９では、原級が発音された音声を出力させるとともに、図６（ｂ）に示す原級音声出力時表示画面４３のように、原級表示部７７のみを反転表示させる。ステップＢ１０では、音声データの出力が終了すればステップＢ１１に進み、終了していなければ、ステップＢ１０に戻る。
【００８０】
ステップＢ１１では、比較級が発音された音声を出力させるとともに、図６（ｃ）に示す比較級音声出力時表示画面４４のように、比較級表示部７８のみを反転表示させる。ステップＢ１２では、音声データの出力が終了すればステップＢ１３に進み、終了していなければ、ステップＢ１２に戻る。ステップＢ１３では、最大級が発音された音声を出力させるとともに、図６（ｄ）に示す最大級音声出力時表示画面４５のように、最大級表示部７９のみを反転表示させる。ステップＢ１４では、音声データが終了すれば、処理を終了し、終了していなければ、ステップＢ１３に戻る。
【００８１】
以上のように、動詞を入力した場合と同様、形容詞を入力した場合も、規則変化形容詞の場合は、単語が発音される音声を出力せずに、使用者が特に学習すべき不規則変化形容詞の場合は、入力した単語およびその関連単語の綴字と入力した単語およびその関連単語の発音とを関連付けて確認することができ、さらに、あらかじめ定められた順番で連続的に確認することができる。したがって、高い学習効果を使用者に発揮させることができる。
【００８２】
図８は、学習機１に不規則変化名詞を入力したときの学習用出力モードの動作例を示す図である。図８（ａ）は、音声を出力する前の状態を示し、図８（ｂ）は、単数形を出力している状態を示し、図８（ｃ）は、複数形を出力している状態を示す。
【００８３】
名詞の場合において、関連単語とは、たとえば、入力された単語が単数形である場合、入力された単語に関連する関連単語とは、複数形であり、入力された単語が変化形である場合、入力された単語に関連する関連単語とは、入力された単語ではない単数形のことである。
【００８４】
使用者が不規則変化名詞を入力すると、表示器１１に音声出力前表示画面４６が表示される。ここでは、不規則変化名詞として、「ｗｏｍａｎ」を入力する。音声出力前表示画面４６には、単語６１、発音マーク６２、発音記号６３、品詞マーク６４、変化形マーク６５、変化形発音記号６６および意味６７が表示される。ここでは、図８（ａ）に示すように、単語６１は「ｗｏｍａｎ」であり、発音記号６３は「ｗｏｍａｎ」の発音記号であり、品詞マーク６４は、形容詞であることを示すマークであり、変化形マーク６５は、「ｗｏｍａｎ」が不規則変化語であることを示すマークであり、変化形発音記号６６は、「ｗｏｍａｎ」の変化形の発音記号であり、意味６７は、「ｗｏｍａｎ」の意味である。
【００８５】
使用者が変化形マーク６５を選択すると、音声出力モードを開始する。まず、図８（ｂ）に示すように、単数形が発音された音声が出力されるとともに、表示器１１に単数形音声出力時表示画面４７が表示される。単数形音声出力時表示画面４７は、発音マーク６２および変化形マーク６５の表示が反転され、変化形表示サブウィンド８０が表示されること以外、音声出力前表示画面４６と同様の表示画面である。変化形表示サブウィンド８０は、入力した不規則変化語の単数形を表示する単数形表示部８１と不規則変化語が語形変化した変化形である複数形を表示する複数形表示部８２を含む。単数形音声出力時表示画面４７では、原級表示部８１のみが反転表示される。ここでは、単数形および複数形は、それぞれ「ｗｏｍａｎ」および「ｗｏｍｅｎ」と表示される。
【００８６】
単数形が発音された音声が出力し終わると、図８（ｃ）に示すように、複数形が発音された音声が出力されるとともに、表示器１１に複数形音声出力時表示画面４８が表示される。複数形音声出力時表示画面４８では、複数形表示部８２のみが反転表示される。複数形が発音された音声が出力し終わると、複数形音声出力時表示画面４８が表示されたままとなる。使用者が戻るキー２５を押下すると、音声出力前表示画面４６が表示される。
【００８７】
以上のように、使用者が入力した単語が不規則変化動詞でなくて不規則変化名詞であっても、不規則変化動詞を入力した場合と同様、入力した単語およびその関連単語の綴字と入力した単語およびその関連単語の発音とを関連付けて確認することができ、さらに、あらかじめ定められた順番で連続的に確認することができ、高い学習効果を使用者に発揮させることができる。
【００８８】
図９は、学習機１に名詞を入力したときの学習用出力モード示すフローチャートである。使用者がＯＮキー２１を押下する操作などによって、ステップＣ１の処理が行われる。ステップＣ１では、使用者によって、単語が入力されると、ＲＡＭ１５に入力された単語を記憶させ、ステップＣ２では、ＲＡＭ１５に記憶されている単語を対象として、ＲＯＭ１４の辞書データ記憶領域２８に記憶されている辞書データを検索させる。ステップＣ３では、入力された単語が辞書データにあれば、ステップＣ４に進み、入力された単語が辞書データになければ、ステップＣ１に戻る。
【００８９】
ステップＣ４では、辞書データから入力された単語に対応する表示データを読み出す。ステップＣ５では、入力された単語が不規則名詞か否かを判断する。たとえば、読み出された表示データに不規則変化語であることを示す変化形マークが含まれていれば、ステップＣ６に進み、読み出された表示データに不規則変化語であることを示す変化形マークが含まれていなければ、ステップＣ１３に進む。ステップＣ１３では、読み出された表示データを表示させる。
【００９０】
ステップＣ６では、図８（ａ）に示す音声出力前表示画面４６のように、読み出された表示データを表示し、ステップＣ７では、変化形マークが選択されれば、ステップＣ８に進み、変化形マークが選択されなければ、ステップＣ１４に進む。ステップＣ１４では、たとえば画面のスクロール、ジャンプ操作および前画面に戻るなどの他の処理を実行する。
【００９１】
ステップＣ８では、図８（ｂ）に示す単数形音声出力時表示画面４７のように、単数形および複数形を表示する変化形表示サブウィンド８０を表示させ、ステップＣ９では、単数形が発音された音声を出力させるとともに、図８（ｂ）に示す単数形音声出力時表示画面４７のように、単数形表示部８１のみを反転表示させる。ステップＣ１０では、音声データの出力が終了すればステップＣ１１に進み、終了していなければ、ステップＣ１０に戻る。
【００９２】
ステップＣ１１では、複数形が発音された音声を出力させるとともに、図８（ｃ）に示す複数形音声出力時表示画面４８のように、複数形表示部８２のみを反転表示させる。ステップＣ１２では、音声データの出力が終了すれば、処理を終了し、終了していなければ、ステップＣ１１に戻る。
【００９３】
以上のように、動詞および形容詞を入力した場合と同様、名詞を入力した場合も、規則変化形容詞の場合は、単語が発音される音声を出力せずに、使用者が特に学習すべき不規則変化形容詞の場合は、入力した単語およびその関連単語の綴字と入力した単語およびその関連単語の発音とを関連付けて確認することができ、さらに、あらかじめ定められた順番で連続的に確認することができる。したがって、高い学習効果を使用者に発揮させることができる。
【００９４】
次に、英和辞典などの辞書の内容を電子化しただけの従来の辞書データを用いて、上記の表示処理および音声出力などを行う学習機について説明する。この学習機は、上述のような学習用出力モードを実施するために、別途、メモリーカードのような着脱可能な外部メモリを用いる。
【００９５】
図１０は、本発明の第２の実施形態である学習機２の電気的構成を示すブロック図である。学習機２は、ＲＯＭ１４の代わりに、ＲＯＭ５１を有し、外部インターフェイス５２を有すること以外、学習機１と同様である。
【００９６】
ＲＯＭ５１は、プログラム記憶領域５３、辞書データ記憶領域５４および音声データ記憶領域５５を有する。辞書データ記憶領域５４は、意味、発音記号、関連単語などがそれぞれ単語と関連付けられているデータ、たとえば英和辞典などの辞書の内容を電子化した辞書データのみが記憶されている。プログラム記憶領域５３および音声データ記憶領域５５は、ＲＯＭ１４のプログラム記憶領域２７および音声データ記憶領域２９と同様である。
【００９７】
外部インターフェイス５２は、外部メモリ５６と接続され、外部メモリ５６に記憶されている情報を取得可能とする。外部メモリ５６は、メモリーカードなどで実現され、不規則変化語リスト記憶領域５７および変化形マーク記憶領域５８などを有する。不規則変化語リスト記憶領域５７は、不規則変化語のリストが記憶されている不規則変化語記憶手段である。変化形マーク記憶領域５８は、変化形マークの画像情報が記憶されているマーク記憶手段である。
【００９８】
図１１は、不規則変化語リスト記憶領域５７に記憶されている不規則変化語リストである。図１１（ａ）は、不規則変化動詞のリストであり、図１１（ｂ）は、不規則変化形容詞のリストであり、図１１（ｃ）は、不規則変化名詞のリストである。
【００９９】
判定手段は、ＣＰＵ１３、ＲＯＭ１４および外部メモリ５６から構成されており、入力された単語を対象としてＲＯＭ５１に記憶されている辞書データおよび外部メモリ５６に記憶されている不規則変化語リストを検索して、それらの検索結果に基づいて入力された単語が不規則変化語であるか否かを判定する。
【０１００】
報知手段は、表示器１１、ＣＰＵ１３、ＲＯＭ１４および外部メモリ５６から構成されており、判定手段により、入力した単語が不規則変化語であると判断された場合、外部メモリ５６に記憶されている変化形マークを表示器１１に表示することによって、入力した単語が不規則変化語であることを使用者に知らせる。
【０１０１】
図１２は、ＲＯＭ５１の辞書データ記憶領域５４に記憶されている辞書データに基づく表示データのデータ構造である。辞書データには、単語が不規則変化語であるか否かを示す不規則変化語情報および不規則変化語であることを示す変化形マークの画像情報が記憶されていないので、判定手段によって、入力した語が不規則変化語であると判断された場合は、外部メモリ５６の変化形マーク記憶手段５８に記憶されている変化形マークの画像情報を参照して表示させる。
【０１０２】
図１３は、学習機２に動詞を入力したときの学習用出力モード示すフローチャートである。使用者がＯＮキー２１を押下する操作などによって、ステップＤ１の処理が行われる。ステップＤ１では、使用者によって、単語が入力されると、ＲＡＭ１５に入力された単語を記憶させ、ステップＤ２では、ＲＡＭ１５に記憶されている単語を対象として、ＲＯＭ５１の辞書データ記憶領域５４に記憶されている辞書データを検索させる。ステップＤ３では、入力された単語が辞書データにあれば、ステップＤ４に進み、入力された単語が辞書データになければ、ステップＤ１に戻る。
【０１０３】
ステップＤ４では、辞書データから図１２に示すような入力された単語に対応する表示データを読み出す。ステップＤ５では、入力された単語が不規則変化語であるか否かを判断する。たとえば、入力された単語を対象として、図１１に示すような不規則変化語リスト記憶領域５７に記憶されている不規則変化語リストを検索して、不規則変化語リストに該当すれば、ステップＤ６に進み、不規則変化語リストに該当しなければ、ステップＤ１９に進む。ステップＤ１９では、図４に示す規則変化動詞表示画面４１のように、読み出された表示データを表示させる。
【０１０４】
ステップＤ６では、読み出した表示データを検索して、ステップＤ７では、変化形マークが合成される位置を決定して、変化形マーク記憶手段５８に記憶されている変化形マークの画像情報を参照して表示データに合成する。たとえば、表示データの品詞マークのあとに、変化形マーク記憶手段５８に記憶されている変化形マークの画像情報のアドレスを挿入する。ステップＤ８では、図２（ａ）に示す音声出力前表示画面３１および図３（ａ）に示す音声出力前表示画面３６のように、合成された表示データを表示し、ステップＤ９では、変化形マークが選択されれば、ステップＤ１０に進み、変化形マークが選択されなければ、ステップＤ２０に進む。ステップＤ２０では、たとえば画面のスクロール、ジャンプ操作および前画面に戻るなどの他の処理を実行する。
【０１０５】
ステップＤ１０では、図２（ｂ）に示す原形音声出力時表示画面３２および図３（ｂ）に示す原形音声出力時表示画面３７のように、原形、三人称単数現在形、過去形および過去分詞形を表示する変化形表示サブウィンド７１を表示させる。ステップＤ１１では、原形が発音された音声を出力させるとともに、図２（ｂ）に示す原形音声出力時表示画面３２および図３（ｂ）に示す原形音声出力時表示画面３７のように、原形表示部７２のみを反転表示させる。ステップＤ１２では、音声データの出力が終了すればステップＤ１３に進み、終了していなければ、ステップＤ１２に戻る。
【０１０６】
ステップＤ１３では、三人称単数現在形が発音された音声を出力させるとともに、図２（ｃ）に示す三単現音声出力時表示画面３３および図３（ｃ）に示す三単現音声出力時表示画面３８のように、三単現表示部７３のみを反転表示させる。ステップＤ１４では、音声データの出力が終了すればステップＤ１５に進み、終了していなければ、ステップＤ１４に戻る。ステップＤ１５では、過去形が発音された音声を出力させるとともに、図２（ｄ）に示す過去形音声出力時表示画面３４および図３（ｄ）に示す過去形音声出力時表示画面３９のように、過去形表示部７４のみを反転表示させる。ステップＤ１６では、音声データの出力が終了すればステップＤ１７に進み、終了していなければ、ステップＤ１６に戻る。ステップＤ１７では、過去分詞形が発音された音声を出力させるとともに、図２（ｅ）に示す過去分詞形音声出力時表示画面３５および図３（ｄ）に示す過去分詞形音声出力時表示画面４０のように、過去分詞形表示部７５のみを反転表示させる。ステップＤ１８では、音声データの出力が終了すれば、処理を終了し、終了していなければ、ステップＤ１８に戻る。
【０１０７】
以上のように、単語が不規則変化語であるか否かを示す不規則変化語情報および単語が不規則変化語であることを示すマークが記憶されていないような従来の記憶手段であっても、不規則変化語記憶手段である外部メモリ５６から取得した不規則変化語情報を用いて、使用者が入力した単語が、不規則変化語か否かを判定することができ、さらに、マーク記憶手段である変化形マーク記憶領域５８から取得したマークを報知手段により、表示手段に表示することができる。
【０１０８】
また、本発明は、使用者が入力した単語が不規則変化語であるか否かを、記憶手段に記憶されている単語とその単語に関連する関連単語との関係が規則変化にしたがっているか否かで判定するようにしてもよい。これによって、不規則変化語情報および単語が不規則変化語であることを示すマークが記憶されていないような従来の記憶手段であって、さらに、外部メモリを用いずに、入力した単語およびその関連単語の綴字と入力した単語およびその関連単語の発音とを関連付けて確認することができ、さらに、あらかじめ定められた順番で連続的に確認することができる。したがって、高い学習効果を使用者に発揮させることができる。
【０１０９】
上記本実施形態は、規則変化語を入力した場合、不規則変化語を入力した場合に行う音声出力、変化形表示サブウィンドの表示および音声出力に同期させた反転表示などの音声出力モードを行わない。しかし、規則変化語を入力した場合も、音声出力モードを行っても充分に高い学習効果を使用者に発揮させることができる。
【０１１０】
その場合、変化形マークを選択することによって、音声出力モードが開始される代わりに、たとえば、学習機は、ファンクションキーに音声出力キーを有し、その音声出力キーを押下することによって、音声出力モードが開始されるようにしてもよい。
【０１１１】
また、上記本実施形態は、英単語を学習するための学習機であるが、本発明は、不規則変化をする単語であれば、英単語に限らず、実施することが可能である。
【図面の簡単な説明】
【０１１２】
【図１】本発明の第１の実施形態である学習機１の電気的構成を示すブロック図である。
【図２】学習機１に不規則変化動詞を入力したときの学習用出力モードの動作例を示す図である。
【図３】学習機１に不規則変化動詞を入力したときの学習用出力モードの動作例を示す図である。
【図４】学習機１に規則変化動詞を入力したときの学習用出力モードの動作例を示す図である。
【図５】学習機１に動詞を入力したときの学習用出力モード示すフローチャートである。
【図６】学習機１に不規則変化形容詞を入力したときの学習用出力モードの動作例を示す図である。
【図７】学習機１に形容詞を入力したときの学習用出力モード示すフローチャートである。
【図８】学習機１に不規則変化名詞を入力したときの学習用出力モードの動作例を示す図である。
【図９】学習機１に名詞を入力したときの学習用出力モード示すフローチャートである。
【図１０】本発明の第２の実施形態である学習機２の電気的構成を示すブロック図である。
【図１１】不規則変化語リスト記憶領域５７に記憶されている不規則変化語リストである。
【図１２】ＲＯＭ５１の辞書データ記憶領域５４に記憶されている辞書データに基づく表示データのデータ構造である。
【図１３】学習機２に動詞を入力したときの学習用出力モード示すフローチャートである。
【符号の説明】
【０１１３】
１，２  学習機
１１  表示器
１２  キー入力部
１３  ＣＰＵ
１４，５１  ＲＯＭ
１５  ＲＡＭ
１６  表示コントローラ
１７  音声デコーダ
１８  スピーカ
２１  ＯＮキー
２２  ＯＦＦキー
２３  ファンクションキー
２４  英数字キー
２５  戻るキー
２６  変化形マーク選択キー
２７，５３  プログラム記憶領域
２８，５４  辞書データ記憶領域
２９，５５  音声データ記憶領域
５２  外部インターフェイス
５６  外部メモリ
５７  不規則変化語リスト記憶領域
５８  変化形マーク記憶手段
【図１】
2006162867.tif 000003
【図２】
2006162867.tif 000004
【図３】
2006162867.tif 000005
【図４】
2006162867.tif 000006
【図５】
2006162867.tif 000007
【図６】
2006162867.tif 000008
【図７】
2006162867.tif 000009
【図８】
2006162867.tif 000010
【図９】
2006162867.tif 000011
【図１０】
2006162867.tif 000012
【図１１】
2006162867.tif 000013
【図１２】
2006162867.tif 000014
【図１３】
2006162867.tif 000015